(57)【要約】      （修正有）【課題】挿入型イヤホンやカナル型イヤホンの特性測定が安定にまた正確に出来、測定結果の再現性が優れた人口耳殻を提供する。【解決手段】人口耳殻１の耳道２の硬さや構造を人間の耳殻構造を模擬し、耳道入り口４付近は柔らかい素材で、また途中から硬度の硬い素材の耳道で構成した。これにより、イヤーピースの柔らかなカナル型や挿入型イヤホンの挿入圧が異なっても一定の深さ以上に入って行かず、安定に精度良く、かつ測定結果の再現性を向上させることが出来る。また耳道パイプ５，６接合面相互を軸に対してテーパ状にすることで、挿入圧によりパイプが内外に変形し、イヤホン挿入による深さを制御しやすくする。さらに、少なくとも一つの耳道パイプの外周面と耳殻接合面に、波形等の嵌合いや表面処理部７を形成することにより、人口耳殻脱着時の気密を向上させると共に、機械的安定度を増す。【選択図】図１
2013066039.tif 000002
【特許請求の範囲】
【請求項１】
耳殻に耳道を持つ人口耳殻において、耳道入り口点（ＥＥＰ）から内部方向に1．５ｍm以上７ｍｍ以下の耳道部が、ショア”Ａ”硬度が３０°以下あるいはショア”００”硬度が４０°以下の柔らかな材料で構成され、それ以降に続く耳道が上記硬度より大きい硬い材料で作られた耳道部を持つ人口耳殻。
【請求項２】
耳殻に耳道を持つ人口耳殻において、上記耳道を構成する耳道部がパイプで構成され、その硬度、長さ、内経、外経もしくは肉厚が異なる耳道パイプを連結して構成される請求項１記載の人口耳殻。
【請求項３】
耳殻に耳道を持つ人口耳殻において、上記耳道を構成する耳道パイプの少なくとも一つが、耳殻を構成している材料で耳道パイプの一部を耳殻と分離することなく一体に構成している請求項１記載の人口耳殻
【請求項４】
耳殻に耳道を持つ人口耳殻において、上記耳道を構成する柔らかな材料で構成される耳道部と、それ以降に続く硬い材料で作られた耳道部の接合面が、耳道の軸に対して耳道入り口側、もしくは耳道内部側にテーパ状に接した耳道を有する請求項１記載の人口耳殻。
【請求項５】
耳殻に耳道を持つ人口耳殻において、上記の少なくとも一つの耳道パイプの外周面と耳殻接合面に、波形等の嵌合い部が形成され、人口耳殻脱着時の気密と機械的安定性を向上させるようにした請求項１記載の人口耳殻。
【発明の詳細な説明】
【技術分野】
【０００１】
本発明は、ダミーヘッドマイクロホンに搭載される人工耳殻において、挿入型イヤホンやカナル型イヤホンの特性測定が安定にまた正確に出来、測定結果の再現性が優れた人口耳殻に関する。
【背景技術】
【０００２】
従来のダミーヘッドマイクロホンは、その原型が２０世紀中頃から後半に開発されたこともあり、その頃は近年多用されるイヤーピースの柔らかな挿入型イヤホンやカナル型イヤホンがほとんど存在しておらず、これらの音響測定を精密に行う必要性も要求もなかった。
その結果、ダミーヘッドマイクロホンに搭載される人口耳殻の耳道構造や耳道部の材質等に関しては、国際規格においても特に規定されておらず、耳殻部分に単なる穴を開け耳道としたもの、また耳道全体を金属のパイプで構成したものなどがあった。
近年になり、ポータブルオーディオ機器の発達と共に、小型のイヤホンが多く用いられるようになってきた。中でもイヤーピースの柔らかな挿入型イヤホンやカナル型イヤホンは音が漏れにくいという利点や音質的に優れているということもあって、特に多く用いられている。その結果、製造上の品質向上の観点から、また品質管理の観点から、短時間で安定にまた正確に測定でき、かつ測定結果の再現性の良い測定装置が求められてきた。
【０００３】
一方で、イヤホンの長時間受聴による難聴防止の問題から、ヘッドホン/イヤホンから再生される音圧の規制が行われるようになり、この観点からも安定にまた正確に測定でき、かつ測定結果の再現性の良い測定装置が求められてきた。
さらにこのイヤーピースの柔らかな挿入型イヤホンやカナル型イヤホンは、その優れた特性を利用し、ノイズキャンセルイヤホン、また補聴器等へも広く用いられ、それらの特性を安定にまた正確に測定でき、かつ測定結果の再現性の良い測定装置が求められてきた。
これらイヤホンおよびイヤホン装置の特性測定は、実際に使用される状況に鑑み、何れもダミーヘッドマイクロホンで測定することが求められるが、従来のダミーヘッドマイクロホンを用いて測定を行うと、測定が不安定で不正確、かつ測定結果の再現性が良くなかった。その原因を調査すると、挿入型イヤホンやカナル型イヤホンの測定結果に影響する不安定性や不正確さ、また測定結果の再現性の無さは、特に耳道の構造に依存し、従来の人口耳殻の構造に問題があることが分かってきた。それは、人間の耳殻に挿入して使用するイヤホンを、人間の耳殻の構造とは大きく異なる構造の人口耳殻を用いて測定を行っているという問題があった。
【０００４】
以下、図２，図３，図４，図５，図６，図７により従来の人口耳殻の耳道構造および耳道を構成する材料ならびに表面処理について説明する。
図において、耳殻本体１は一般的にゴム等のエラストマーで出来ており、耳殻を成形する際に穴を開けて耳道２とすることが一般的であった。ここで耳道２は、耳道入り口付近に広がる窪みである耳介口腔３の底に位置する、耳道入り口点４(ＥＥＰ:Ear canal Entrance Point)から始まり、規定の長さで終端する。耳道２は、この終端部に取り付けて使用するマイクロホン装置１０と気密に結合させる必要があることから、図３のように耳道２を金属等の硬いパイプ５で構成し、マイクロホン装置１０と一体として、耳殻から脱着される構造にすることも一般的であった。そして、耳殻と脱着可能な耳道との勘合部には、波形等の嵌合いや密着度が高くなる表面処理部７が形成されたものもあった。
【０００５】
また、従来から用いられている挿入型イヤホン８先端部のイヤーピースは堅く大きなものがほとんどで、図４、図５のようにイヤホン本体を耳介口腔３で支え、イヤホン先端は耳道入り口点４に接して結合され、耳道２内に押し込んで使用されるものが少なかった。従って、耳道２の構造や材質に対し、ほとんど考慮されることは少なかった。しかし近年多く用いられているイヤーピースの柔らかな挿入型イヤホンやカナル型イヤホン９の場合には筐体も小さく、これらイヤホンの保持は耳道２への挿入によりイヤホン先端のイヤーピースが収縮し、耳道が柔らかい材料で作られている場合には、図６のように耳道入り口が反対に拡張される相互の力により保持される。これは実耳の場合と同様であるが、挿入する力の加減でイヤホンどこまでも入ってしまう不都合があった。また人口耳殻が硬い材料で作られ耳道が堅かったり、また金属等の硬いパイプで構成されたりする場合には耳道は拡張せず、図７のようにイヤホン先端のイヤーピースのみが収縮する力により保持される。ここでイヤーピースの外径が小さい場合にはどこまでも中に入ってしまい、保持の不安定さに加え、本来の位置での測定が困難であり、測定の安定性と正確性および測定結果の再現性に優れた人口耳殻はこれまで提供されていなかった。
【先行技術文献】
【特許文献】
【０００６】
【特許文献１】特許出願平１０−５４８９４６
【非特許文献】
【０００７】
【非特許文献１】ＩＥＣ６０９５９（ＩＥＣ６０３８１−７）
【非特許文献２】ＩＴＵＴ−Ｐ５７
【発明の概要】
【発明が解決しようとする課題】
【０００８】
以上に述べた従来の人口耳殻の耳道が、耳殻を構成する材料に穴を開けただけの構造の場合には、耳殻材料の硬さにより不都合が生じる事があった。すなわち、耳殻が柔らかい材質で作られている場合には、被測定イヤホンを挿入する力の加減で耳道入り口付近に留まったり、逆に奥深く入ってしまったりして、イヤホン先端のイヤーピースと耳道との勘合が変化して不安定となり正確な測定が出来ず、測定結果の再現性が乏しいばかりでなく、本来の耳道長での測定が出来なかった。一方耳殻が硬い物質で作られ、そこに開けられた耳道が硬い場合や、耳道が金属のような硬いパイプで構成されている場合には、イヤホンを挿入しても耳道形状は変形せず、被測定イヤホン先端のイヤーピースのみの圧縮変形になる。その結果、イヤーピースの大きさによっては耳道に挿入できなかったり、また逆に奥深くまで入ってしまったりする場合もあり、人間の耳に挿入した場合とは何れも異なった測定条件となり、測定が不安定で不正確かつ測定結果の再現性が乏しく、さらに本来の耳道長での測定が出来なかった。
【０００９】
ここで図８に示すように人間本来の耳道構造を考えると、耳道の周りには軟骨１１や頭骨１２が配置され、耳道が外周で補強される結果、耳道の挿入方向のスティフネスが増大し、これらが一種のストッパの役目を果たす事により、安定なイヤホンの保持と位置決めが行われている。従って、近年多く用いられているイヤーピースの柔らかな挿入型イヤホンやカナル型イヤホン９の測定にも使用できる人口耳殻は、イヤホン挿入時の状態が人間の耳道に挿入された場合の機械的動作を模擬できる構造が好ましい。従って本発明は、このような従来の構成が有していた問題を解決しようとするものであり、耳道構造を人間の耳穴に近い構造とすることにより、人間の耳に挿入した場合同様、イヤホン先端のイヤーピースと耳道との勘合を安定させ、より正確に、かつ測定結果の再現性を向上させると共に、本来の耳道長での安定した測定を実現するものである。
【課題を解決するための手段】
【００１０】
上記課題を解決するために、以下の手段を考える。すなわち、
・  耳殻に耳道を持つ人口耳殻において、耳道入り口点４（ＥＥＰ）から内部方向に1．５mm以上７ｍｍ以下の耳道部が、ショア”Ａ”硬度が３０°以下あるいはショア”００”硬度が４０°以下の柔らかな材料で構成され、それ以降に続く耳道が上記硬度より大きく硬い材料で作られた耳道部を持つ人口耳殻。
なお、耳道入り口点である（ＥＥＰ:Ear canal Entrance Point）は、非特許文献２で定義され規定される。
・  耳殻に耳道を持つ人口耳殻において、上記耳道を構成する耳道部がパイプで構成され、その硬度、長さ、内経、外経もしくは肉厚が異なる耳道パイプを連結して構成される人口耳殻。
【００１１】
・耳殻に耳道を持つ人口耳殻において、上記耳道を構成する耳道パイプの少なくとも一つが、耳殻を構成している材料で耳道パイプの一部を一体に構成している人口耳殻
・耳殻に耳道を持つ人口耳殻において、上記耳道を構成する柔らかな材料で構成される耳道部と、それ以降に続く硬い材料で作られた耳道部の接合面が、耳道の軸に対して耳道入り口側、もしくは耳道内部側にテーパ状に接した耳道を有する人口耳殻。
・耳殻に耳道を持つ人口耳殻において、上記の少なくとも一つの耳道パイプの外周面と耳殻接合面に、波形等の嵌合い部が形成され、人口耳殻脱着時の気密と機械的安定性を向上させるようにした人口耳殻。
【００１２】
上記目的を達成するための第１の問題解決手段としては、耳殻に耳道を持つ人口耳殻において、人間の耳殻構造に着目し、耳殻材料とは硬度の異なる柔らかな材質の耳道部５を耳道入り口点４から内部方向に1．５mm以上７ｍｍ以下の長さで配置し、さらにそれ以降に続く耳道が上記硬度以上の硬い材料で作られた耳道部を構成したものである。すなわち、人間の耳の構造を考えると、入り口付近は柔らかであるが、耳道の奧に行くに従って軟骨１１や頭骨１２等の骨部が耳道を取り囲むように配置されているため、見かけ上の耳道のスティフネスが増加し、一種のストッパとして機能することによりイヤホンの奧への進入を防いでいるためである。ここで、耳殻を構成する材料としては、一般的にウレタン、シリコン、天然ゴム、合成ゴム等のエラストマーが使用され、その硬度はショア”Ａ”硬度が３０°以下あるいはショア”００”硬度が４０°以下の柔らかな材料が人間の耳殻の柔らかさに近い。この場合材料が同一であっても、それを硬化させる時の添加物等により硬度は大きく変化するので、耳殻の材料と耳道部の素材が同一であっても、硬度が異なる場合には異なる材質と見なす。従って、耳殻１が硬い材料の場合は、柔らかい材料あるいは耳殻と同一素材でも柔らかな材料を耳道入り口点４から配置し、人間の耳道入り口に近い柔らかさを実現する。そして、引き続く耳道部は硬度を堅くして、イヤホンが奧に入り制御する。
【００１３】
また第２の問題解決手段は、耳殻に耳道を持つ人口耳殻において、上記耳道を構成する個々の耳道部がパイプで構成され、その硬度、長さ、内経、外経もしくは肉厚の異なる個々の耳道パイプを連結して構成することによっても実現できる。このようにすることにより、耳殻材料とは無関係に、入り口から奧に入るに従ってパイプのイヤホン挿入方向へのスティフネスが変化し、イヤホンの進入を制御できるようになる。また、耳道パイプを分割せず、自身の内経や外経を、耳道奧に行くに従って徐々に拡大、縮小、あるいはパイプの厚さを増大、減少させることにより、イヤホンを挿入した時のパイプのスティフネスを変化させ、イヤホンの耳道奧への進入を制御しても良い。
【００１４】
また、第３の問題解決手段は、耳殻に耳道を持つ人口耳殻において、上記耳道を構成する複数のパイプの少なくとも一つが、耳殻を構成している材料で耳道パイプの一部を構成する。すなわち、耳殻を形成する素材が、人間の耳道入り口程度に柔らかい場合には、耳殻と耳道部パイプを分離せず、同一の材料の一部を耳道入り口の耳道パイプとして連続的に形成して、第一の耳道パイプとして用い、また逆に耳殻材料が硬い場合には、耳殻材料とは硬度の異なる柔らかい材質の耳道パイプを耳道入り口に配し、その先に繋がる耳道パイプの一部に、この硬い材料で作られた耳殻と連続的に形成した耳道パイプを連結して、耳道の一部を構成しても良い。
【００１５】
また、第４の問題解決手段は、耳殻に耳道を持つ人口耳殻において、上記耳道を構成する柔らかな材料で構成される耳道入り口の耳道部と、それ以降に続く硬い材料で作られた耳道部の接合面が、耳道の軸に対して耳道入り口側、もしくは耳道内部側にテーパ状に接した耳道を有する人口耳殻は、イヤホンの挿入力により耳道が内外に変形することによりパイプのスティフネスが変化して阻止力となり、イヤーピースの変形とのバランスで挿入深さを制御できるからである。この場合の耳道部は、パイプで構成されていても良い。
【００１６】
また、第５の問題解決手段は、耳殻に耳道を持つ人口耳殻において、上記の少なくとも一つの耳道パイプの外周面と耳殻接合面相互に、波形等の嵌合いや密着度が高くなる表面処理部が形成されたものである。これは、耳道パイプが測定用マイクロホンに接続されて一体となって耳殻から脱着される場合に、耳殻と耳道相互の気密性を確保するためである。
【００１７】
上記第１の課題解決手段による作用は、耳殻材料とは無関係に、適した柔らかい材質の耳道部を耳道入り口に配することにより人間の耳道入り口に近い柔らかさを実現し、イヤホンの先端イヤーピースとの勘合をスムーズにする。またそれに引き続く耳道部の硬さを堅くして、イヤホン挿入圧による耳道内部への進入を制御できる。
【００１８】
上記第２の問題解決手段による作用は、耳道を構成する個々の耳道部を耳殻材料とは無関係にパイプで構成でき、耳道入り口には柔らかな素材のパイプを、また奧に入るに従ってその硬度、長さ、内経、外経もしくは肉厚の異なる耳道パイプを連結して構成することにより、パイプのイヤホン挿入方向へのスティフネスを容易にかつ自由に変化させることが出来、イヤホンの進入を制御できるようになる。
【００１９】
上記第３の問題解決手段による作用は、耳殻を形成する素材が人間の耳道入り口程度に柔らかい場合には、耳殻の材料の一部を耳道入り口の耳道パイプとして連続的に形成して耳道パイプの一部とすることにより、特に柔らかな材料で耳道パイプを作らなくても、容易に人間の耳道入り口の柔らかさを実現できる。また逆に耳殻材料が硬い場合には、耳殻材料とは硬度の異なる柔らかい材質の耳道パイプを耳道入り口に配し、それに引き続き、硬い材料で作られた耳殻の一部を硬い耳道パイプの一部として連続的に形成することにより、特に硬い材料で耳道パイプを作らなくても、より簡便に挿入圧による耳道内部へのイヤホンの進入を制御できるようになる。
【００２０】
上記第４の問題解決手段による作用は、硬度の異なる複数の耳道パイプの接合面の少なくとも一つが、耳道の軸に対して耳道入り口側、もしくは耳道内側にテーパ状であると、イヤホンの挿入力により耳道材料が内外に変形することによりパイプのスティフネスが変化し、イヤーピースの変形とのバランスで挿入深さを制御できる。
【００２１】
上記第５の問題解決手段による作用は、耳道パイプが測定用マイクロホンに接続されて一体となり、耳殻から脱着される構造の場合、耳道パイプの外周と耳殻接合面に波形等の嵌合いが形成されたり、表面処理が施されたりすることにより、耳道パイプが耳殻から脱着される場合にしっかり結合され、かつ空気漏れが生じる事が無く気密を保つことができ、測定の精度が向上するという効果を発揮する。
【発明の効果】
【００２２】
上記したように、本発明の人口耳殻の耳道を構成する入り口から奧にいたる個々の部分の柔らかさを変化させることが出来るため、イヤホン先端のイヤーピースとの勘合をスムーズにし、人間の耳にイヤホンを挿入した状態に近づけることができ、安定で正確かつ測定結果の再現性に優れた計測が達成される。この場合、個々の部分をパイプで構成することにより、個々の柔らかさをパイプの硬度や長さ、太さを入り口から奧に至るまで変化させることにより、また、硬度の異なる耳道パイプ同士の接合角度を変化させることにより、イヤホン先端のイヤーピースの大きさが変化したり、挿入する強さが異なったりしても進入の制御が容易に出来、本来の耳道長での測定が実現でき、安定で正確かつ測定結果の再現性に優れた計測が達成される。
また耳道パイプ外周と耳殻接合面に波形等の嵌合いや気密性を保つ表面処理が形成されることにより、耳道パイプが耳殻から脱着される場合にしっかり結合され、機械的安定度が増すと主に、空気漏れが生じないようにできるという効果を発揮し、安定で正確かつ測定結果の再現性に優れた計測が達成される。
【図面の簡単な説明】
【００２３】
【図１】本発明の人口耳殻
【図２】従来の人口耳殻−１
【図３】従来の人口耳殻−２
【図４】従来の人口耳殻および従来イヤホンの実施形態を示す部分断面図−１
【図５】従来の人口耳殻および従来イヤホンの実施形態を示す部分断面図−２
【図６】従来の人口耳殻を用いて問題となる実施形態を示す部分断面図−１
【図７】従来の人口耳殻を用いて問題となる実施形態を示す部分断面図−２
【図８】人間の耳殻構造図
【図９】本発明の実施形態を示す人口耳殻の部分断面図
【図１０】本発明を実施した時の、音圧周波数特性
【図１１】本発明を実施しない時の、音圧周波数特性
【発明を実施するための形態】
【００２４】
以下、本発明の実施の形態を図１、図９，図１０に基づいて説明する。
図において、耳殻本体１はシリコンゴム等のエラストマーで作成し、従来耳殻を成形する際に穴を開けて耳道２とすることが一般的であったが、本発明ではこの耳殻とは別の耳道部を、独立した部材５，６等で構成する。ここで耳道２は、耳道入り口付近に広がる窪みである耳介口腔３の底に位置する耳道入り口点４(ＥＥＰ:Ear canal Entrance Point)から始まり、規定の長さで終端する。なお、耳道入り口点である（ＥＥＰ:Ear canal Entrance Point）は、非特許文献２で定義され規定される。本発明の耳道部は、耳道入り口点４から内部方向に1．５mm以上７ｍｍ以下を耳道入り口部の第一の耳道部とし、ショア”Ａ”硬度が３０°以下あるいはショア”００”硬度が４０°以下の柔らかな材料で構成する。それ以降に続く耳道は、上記硬度より硬い材料で作られた耳道部で作成する。
【００２５】
ここで、上記耳道を構成する個々の耳道部を独立したパイプで構成しても良く、その硬度、長さ、内経、外経もしくは肉厚の異なる個々の耳道パイプを連結して構成することによっても実現できる。このようにすることにより、入り口から奧に入るに従って、イヤホン挿入方向へのスティフネスが変化し、イヤホンの進入を制御できるようになる。また、耳道パイプを分割せず、自身の内経や外経を、耳道奧に行くに従って徐々に拡大、縮小、あるいはパイプの厚さを増大、減少させることにより、イヤホンを挿入した時のスティフネスを変化させ、イヤホンの耳道奧への進入を制御しても良い。
【００２６】
さらに上記耳道を構成する耳道パイプの少なくとも一つが、耳殻を構成している材料を用いて耳道パイプの一部を構成される。すなわち、耳殻を形成する素材が、人間の耳道入り口程度に柔らかい場合には、耳殻の材料の一部を耳道入り口の耳道パイプとして連続的に形成して耳道パイプの一部として用い、また逆に耳殻材料が硬い場合には、耳殻材料とは硬度の異なる柔らかい材質の耳道パイプを耳道入り口に配し、その次に続く耳道パイプの一部に硬い材料で作られた耳殻と連続的に形成した耳道パイプを連結して、耳道の一部を構成しても良い。
【００２７】
さらに上記耳道を構成する、硬度の異なる複数の耳道パイプの接合面の少なくとも一つが、耳道の軸に対して耳道入り口側、もしくは耳道内側にテーパ状であると、イヤホンの挿入力により耳道材料が内外に変形することによりパイプのスティフネスが変化し、イヤーピースの変形とのバランスで挿入深さを制御できる。
【００２８】
また、上記耳道を構成する耳道パイプの終端部には、マイクロホン装置１０が取り付けられる場合、耳道とマイクロホン装置は気密に結合させる必要があることから、図９のように耳道２を金属等の硬いパイプ６で構成し、マイクロホン装置１０と一体として、耳殻から脱着される構造にすることも可能である。そして、耳殻と脱着可能な耳道との勘合部には、波形等の嵌合いや密着度が高くなる表面処理部７を形成することにより、脱着時の機械的安定度が増すと主に、空気漏れが生じないようにできるという効果を発揮する。
これらの新しい発明により、近年多く用いられているイヤーピースの柔らかな挿入型イヤホンやカナル型イヤホン９の測定を行った場合にも、これらイヤホンの保持は実耳の場合と同様、安定にかつ適切な位置で進入が制御されるため、測定の安定性と正確性および測定結果の再現性に優れた人口耳殻を提供できる。
【実施例】
【００２９】
以下に、本発明の実施例を、図１，図９，図１０，図１１を用いて説明する。
図において、耳殻本体１はエラストマーの一種であるショア”００”硬度が３５°のシリコンゴムを用いて作成した。実施した耳道は、耳殻に用いた材料が柔らかく人間の皮膚等の柔らかさに近いため、実施例では独立した耳道パイプは用いず、耳殻を構成している材料で耳道パイプの一部を構成した。すなわち耳道入り口点４(ＥＥＰ:Ear canal Entrance Point)から、約３．５ｍｍまでを最初の耳道と見なし、耳殻と耳道部を分離することなく内径約７．５mm、の耳道を一体に成形し、第一の耳道部とした。そしてそれに引き続く耳道は硬いステンレスで構成した。この場合、上記の第一の柔らかい耳道端部と第二の硬いステンレス製の耳道端部相互が、内向きのテーパで接する耳道を作成し連結した。これにより、イヤホンを挿入すると、第一の柔らかい耳道部壁面に耳道中心方向に引っ張られる力が生じ、パイプのスティフネスが変化して、イヤーピースの変形とのバランスで挿入深さを制御でき、人間の耳道構造の働きに近づけることが出来た。また第二のステンレスで構成した耳道部外周と、耳殻との勘合部には、波形の嵌合いを形成し、脱着時の機械的安定度の増加と、空気漏れが生じないようにした。これにより、耳殻および第一、第二の耳道を確実に安定に、空気漏れが生じることなく脱着させることが出来た。
【００３０】
これらの新しい発明により、近年多く用いられているイヤーピースの柔らかな挿入型イヤホンやカナル型イヤホン９の測定を行った場合にも、これらイヤホンの保持は実耳の場合と同様、安定にかつ適切な位置で進入が制御されるため、測定の安定性と正確性および測定結果の再現性に優れた人口耳殻を提供できた。本発明による人口耳殻を用いたカナル型イヤホン９の、５回のランダムな音圧周波数特性測定結果を重ね書きした特性を図１０に、また図３の、耳道がすべてステンレスの硬い材料で作られた耳道を持つ人口耳殻を用いて測定したカナル型イヤホン９の、５回のランダムな音圧周波数特性結果を重ね書きした特性を図１１に示す。これらの測定結果により、本発明の従来構造に対する優位性が明らかである。
【産業上の利用可能性】
【００３１】
近年になり、ポータブルオーディオ機器の発達と共に、小型のイヤホンが多く用いられるようになってきた。中でもイヤーピースの柔らかな挿入型イヤホンやカナル型イヤホンは音が漏れにくいという利点や音質的に優れているということがあって特に多く用いられ、製造上の品質向上の観点から、また品質管理の点から、短時間で安定にまた正確に測定でき、かつ測定結果の再現性の良い測定装置が求められてきた。一方で、イヤホンの長時間受聴による難聴発生の問題から、ヘッドホン/イヤホンから再生される音圧の規制が行われるようになり、安定にまた正確に測定でき、かつ測定結果の再現性の良い測定装置が求められてきた。また、このイヤーピースの柔らかな挿入型イヤホンやカナル型イヤホンは、その優れた特性を利用し、ノイズキャンセルイヤホン、また補聴器等へも広く用いられ、それらの特性を安定にまた正確に測定でき、かつ測定結果の再現性の良い測定装置が求められてきた。
【００３２】
これらイヤホンの特性測定は、実際に使用される状況に鑑み、何れもダミーヘッドマイクで測定することが求められるが、従来のダミーヘッドマイクロホンでは測定が不安定で、かつ測定結果の再現性が良くなかった。その原因を調べると、耳の形、それも挿入型イヤホンやカナル型イヤホンでは、特に耳道の構造に依存していることが分かってきた。すなわち、従来のダミーヘッドマイクロホンに搭載されている人口耳殻の耳道構造が、人間のそれとは大きく異なることが原因であることが分かってきた。そこで本願の発明である人口耳介を用いることにより、短時間で安定にまた正確に、かつ測定結果の再現性に優れた人口耳殻を提供するものである。
【符号の説明】
【００３３】
・  耳殻本体
・  耳道
・  耳道入り口付近に広がる窪み（耳介口腔）
・  耳道入口点(ＥＥＰ:Ear canal Entrance Point)
・  耳道を構成する、耳道入り口に配置されるパイプ
・  耳道を構成する、耳道入り口以降に配置されるパイプ
・  耳殻と耳道の勘合部
・  従来の挿入型イヤホン
・  イヤーピースの柔らかな挿入型およびカナル型イヤホン
・  マイクロホン装置
・  軟骨
・  頭骨
【図１】
2013066039.tif 000003
【図２】
2013066039.tif 000004
【図３】
2013066039.tif 000005
【図４】
2013066039.tif 000006
【図５】
2013066039.tif 000007
【図６】
2013066039.tif 000008
【図７】
2013066039.tif 000009
【図８】
2013066039.tif 000010
【図９】
2013066039.tif 000011
【図１０】
2013066039.tif 000012
【図１１】
2013066039.tif 000013